(57)【要約】【課題】バスケットボール用スタンドのバックボードがもっている形状や大きさ、あるいは強度を有効に利用し、さらには商用電源やポータブル式の発電機を用いることなく夜間照明を行ないながらバスケットボールを行なうことが可能なバスケットボール用スタンドを提供する。【解決手段】上下の平行リンク１５、１６によって高さ調整自在に支持されるバックボード２４を額縁状の保持枠２５とその内側に組合わされるソーラーパネル２６とから構成し、ソーラーパネル２６で得られる起電力を２次電池４１に蓄えておき、必要に応じてこの２次電池４１の電力を用いてリンク１６の前方に取付けられている発光器４４を駆動して照明を行なう。【選択図】  図３
2004180876.tif 000002
【特許請求の範囲】
【請求項１】
支持手段によってバックボードを支持し、しかもバスケットネットを保持するリングを取付けたバスケットボール用スタンドにおいて、
前記バックボードがソーラーパネルを有することを特徴とするバスケットボール用スタンド。
【請求項２】
前記バックボードがソーラーパネルと、該ソーラーパネルを保持する保持枠とから構成されることを特徴とする請求項１に記載のバスケットボール用スタンド。
【請求項３】
前記支持手段またはバックボードに発光器が取付けられ、該発光器が前記ソーラーパネルの起電力によって駆動されることを特徴とする請求項２に記載のバスケットボール用スタンド。
【請求項４】
前記支持手段が平行リンク機構から構成され、前記バックボードを高さ調整自在に支持することを特徴とする請求項１に記載のバスケットボール用スタンド。
【発明の詳細な説明】
【０００１】
【発明の属する技術分野】
本発明はバスケットボール用スタンドに係り、とくに支持手段によってバックボードを支持し、しかもバスケットネットを保持するリングを取付けたバスケットボール用スタンドに関する。
【０００２】
【従来の技術】
球技の一種としてバスケットボールが広く普及している。バスケットボールは矩形をなす所定の大きさのコートの短辺側のエンドラインのほぼ中央部に互いに対向するようにバスケットボール用スタンドを配し、相手側スタンドのバスケットネットにボールを入れたときに得られる得点を加算して競う競技である。
【０００３】
バスケットボール用スタンドは支柱等の支持手段によってバックボードを支持し、このバックボードの下端から前方に延出されたリングによってネットを取付けている。ここで競技者はボールを直接リング内のバスケットネットに投入して得点をあげることができるばかりでなく、一旦バックボードにボールを当て、逆方向に跳返ったボールをリング内のバスケットネットに入れ、これによって得点を得ることができる。従ってバックボードはバスケットネットを保持するリングを支持する機能ばかりでなく、ボールを前方に跳返すための手段を構成しており、重要な機能を担うものである。
【０００４】
【発明が解決しようとする課題】
夜間にバスケットボールを行なう場合には、何等かの照明を行なう必要がある。そこで従来は商用電源を用いて照明灯を駆動するか、あるいはまたポータブル式の発電機によって起電力を得、これによって照明灯を駆動しなければならなかった。一方でバスケットボール用スタンドのバックボードは、従来より発電のための手段としては全くかえり見られていなかった。
【０００５】
本発明はこのような問題点に鑑みてなされたものであって、商用電源やポータブル式の発電機を用いることなくしかも夜間にバスケットボールをプレーすることができ、さらにはバスケットボール用スタンドのバックボードに発電のための機能を付加するようにしたバスケットボール用スタンドを提供することを目的とする。
【０００６】
【課題を解決するための手段】
本願の主要な発明は、
支持手段によってバックボードを支持し、しかもバスケットネットを保持するリングを取付けたバスケットボール用スタンドにおいて、
前記バックボードがソーラーパネルを有することを特徴とするバスケットボール用スタンドに関するものである。
【０００７】
ここで前記バックボードがソーラーパネルと、該ソーラーパネルを保持する保持枠とから構成されることが好適である。また前記支持手段またはバックボードに発光器が取付けられ、該発光器が前記ソーラーパネルの起電力によって駆動されることが好適である。また前記支持手段が平行リンク機構から構成され、前記バックボードを高さ調整自在に支持することが好ましい。
【０００８】
従来、ソーラ発電モジュールで駆動する照明機器は、単にソーラーパネルを屋外に設置し、あるいはまた照明機器を取付けて発電のみの目的に使用していた。従ってソーラーパネルそのものがもっている形状や大きさ、強度を有効に利用しているとは限らない。また夜間の照明機器としての目的だけではなく、スポーツ施設への活用がなされていなかった。
【０００９】
そこで本願に含まれる発明の好ましい態様は、ソーラ発電モジュール（ソーラーパネル）をバスケットボール用のバックボードに使用し、野外での発電を可能とし、その電力で夜間の照明を行ない、あるいはまたバスケットボールのスポーツを可能にしたものである。このようにソーラ発電機による夜間照明機能だけではなく、この装置を利用することによって、バスケットボールのスポーツを日中のみならず夜間でも行なうことが可能になる作用効果を奏する。
【００１０】
【発明の実施の形態】
図１〜図４は本発明の実施の形態に係るバスケットボール用スタンドを示すものであって、このバスケットボール用スタンドは地面に載置されるベース１０を備えている。ベース１０はその下面に脚１２を備えるとともに、上面には枢支ブラケット１１、１７を備え、これらの枢支ブラケット１１、１７にそれぞれ取付けられたピン１３、１４によって上下の支持リンク１５、１６を回動自在に支持している。なお下側の支持リンク１６は左右一対のリンクから構成される。支持リンク１５、１６の上端はバックボード２４側のブラケット１８と上下のピン１９、２０を介して回動自在に連結されている。そして上記ベース１０、枢支ブラケット１１、１７、支持リンク１５、１６、およびブラケット１８によって図３に示すように平行リンク機構が構成され、ブラケット１８およびバックボード２４は垂直な姿勢を維持したままで高さ調整可能に支持される。
【００１１】
上記ブラケット１８は一対のフレーム２１、２２を介してバックボード２４を支持する。バックボード２４は３辺または４辺を備える額縁状の保持枠２５と、この保持枠２５内に保持されるソーラーパネル２６とから構成される。そしてバックボード２４の前面側には上から見ると円形のリング２８が取付けられるとともに、このリング２８によってバスケットネット２９が保持されている。
【００１２】
上記一対の支持リンク１５、１６の内の一方、例えば下側の支持リンク１６とベース１０の前端部との間には前から見ると三角形の補助板３２が取付けられている。補助板３２はその下端がベース１０の先端側のピン３４に回動可能に連結されるとともに、リンク３２の上端がピン３５を介して支持リンク１５に回動可能に連結されている。
【００１３】
次にこのようなバスケットボール用スタンドのシステムの構成を図５によって説明する。上記バックボード２４の保持枠２５内に保持されているソーラーパネル２６は充放電コントローラ４０を介して２次電池４１に接続される。また充放電コントローラ４０は開閉器４２を介して発光器４４に接続されている。上記開閉器４２にはタイマー４３が接続されている。なおこのようなシステムは制御箱４８内に収納されるとともに、この制御箱４８が図１〜図４に示すようにベース１０上に載置される。またベース１０上には制御箱４８の両側に一対のバランスウエート４７が載置されるようになっている。
【００１４】
以上のような構成において、とくに図３に示すように上下の支持リンク１５、１６を下側のピン１３、１４を介して回動させるとともに、このときに支持リンク１５と連結されている補助板３２を上側のピン３５によってリンク１６側と高さ調整可能に所定の位置に連結することにより、バックボード２４の高さを好みの高さに設定することが可能になる。ここで支持リンク１５、１６とブラケット１８とベース１０とが上述の如く平行リンク機構を構成するために、リンク１５、１６の角度を変更してブラケット１８の高さを変えても、ブラケット１８によって支持されるバックボード２４はその垂直な姿勢を変化させることがなく、常に垂直な姿勢を維持したままで高さ調整が行なわれる。
【００１５】
このような高さ調整可能なバスケットボール用スタンドは、そのバックボード２４の保持枠２５内に設けられているソーラーパネル２６によって発電が行なわれる。すなわち太陽光線が当るとこのソーラーパネル２６が起電力を生ずる。この起電力が図５に示す充放電コントローラ４０を介して２次電池４１を充電する。そして２次電池４１に蓄えられた電力を充放電コントローラ４０によって取出し、開閉器４２を介して発光器４４を駆動することによって、照明を行なうことが可能になる。発光器４４が図２に示すようにアーム４５を介して下側のリンク１６の前側に取付けられているために、このような発光器４４によって照明が行なわれる。
【００１６】
従ってこのバスケットボール用スタンドそれ自体を照明手段に兼用することができる。すなわちこのバスケットボール用スタンドを使用しない場合に、このスタンドを照明装置として用いることができる。あるいはまた夜間にバスケットボールを楽しむ際に、上記ソーラーパネル２６によって発生した起電力を用いて２次電池４１を充電しておき、夜間にこの２次電池４１に蓄えられた電力を用いて発光器４４を駆動することによって照明を行なうことが可能になる。従ってこのバスケットボール用スタンドを用いることによって、夜間にバスケットボールを楽しむことが可能になる。
【００１７】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態は下側のリンク１６の前側にそれぞれ発光器４４を取付けるようにしているが、発光器４４の数やその取付け位置については任意に変更可能であって、バックボード２４に発光器４４を取付けてもよい。
【００１８】
【発明の効果】
本願の主要な発明は、支持手段によってバックボードを支持し、しかもバスケットネットを保持するリングを取付けたバスケットボール用スタンドにおいて、バックボードがソーラーパネルを有するようにしたものである。
【００１９】
従ってこのようなバスケットボール用スタンドによれば、このバックボードのソーラーパネルによって発電を行なうことが可能になり、その起電力を利用して照明等の各種の起電力の利用を行なうことが可能になる。
【図面の簡単な説明】
【図１】バスケットボール用スタンドの外観斜視図である。
【図２】バスケットボール用スタンドの正面図（Ａ）および背面図（Ｂ）である。
【図３】バスケットボール用スタンドの側面図である。
【図４】バスケットボール用スタンドの平面図である。
【図５】バスケットボール用スタンドのシステム構成を示すブロック図である。
【符号の説明】
１０  ベース
１１  枢支ブラケット
１２  脚
１３  ピン（上）
１４  ピン（下）
１５  支持リンク（上）
１６  支持リンク（下）
１７  枢支ブラケット
１８  ブラケット
１９  ピン（上）
２０  ピン（下）
２１、２２  フレーム
２４  バックボード
２５  保持枠
２６  ソーラーパネル
２８  リング
２９  バスケットネット
３２  補助板
３４、３５  ピン
４０  充放電コントローラ
４１  ２次電池
４２  開閉器
４３  タイマー
４４  発光器
４５  アーム
４７  バランスウエート
４８  制御箱
【図１】
2004180876.tif 000003
【図２】
2004180876.tif 000004
【図３】
2004180876.tif 000005
【図４】
2004180876.tif 000006
【図５】
2004180876.tif 000007